(57)【要約】【課題】セキュリティドキュメントのセキュリティを高めること【解決手段】本発明の膜構造体は、１つ以上のポリマー膜材料、一次像アイコンの１つ以上の平面状配置、合焦要素またはレンズの１つ以上の平面状配置および１つ以上の二次像アイコンから構成されている。平面状配置は、合焦要素またはレンズの平面状配置を通して、一次像アイコンの平面状配置を見ると、１つ以上の第１合成像が投影されるように構成されている。二次像アイコンは、スタティックおよび／または他の投影された像として見え、これら像は、膜構造体が投影する第１合成像と空間的に調整されており、膜構造体により共に同時にディスプレイされたときに、これら像は、前記投影された第１合成像を視覚的に強化またはキャンセルする。【選択図】図３
2014006532.tif 000002
【特許請求の範囲】
【請求項１】
合焦要素の１つ以上の平面状配置を有する、マイクロ光学的膜構造体であって、
前記マイクロ光学的膜構造体は、前記合焦要素の１つ以上の平面状配置を通して１つ以上の第１合成光学的像を投影するとともに直接見られるか、または前記合焦要素により投影されることなく前記合焦要素の前記１つ以上の平面状配置を通して見られる１つ以上の静止画像を投影するようになっており、
前記１つ以上の第１合成光学的像は、
（ａ）前記１つ以上の第１合成光学的像のカラー、光学的密度、光度またはバックグラウンドのうちの少なくとも１つを変え、
（ｂ）１つ以上の新しい像を形成し、および／または
（ｃ）前記１つ以上の第１合成光学的像の見かけの動きを増幅することにより、相互の空間的配置に起因し、前記１つ以上の第１合成光学的像を前記１つ以上静止画像により視覚的に強化またはキャンセルするように前記１つ以上の静止画像に空間的にコーディネートされ、
前記１つ以上の静止画像は、前記１つ以上の第１合成光学的像のネガ像または反転像となっている、マイクロ光学的膜構造体。
【請求項２】
前記膜構造体は、前記１つ以上の第１合成光学的像および前記１つ以上の第２合成光学的像を投影し、前記１つ以上の第１光学的像は、前記１つ以上の第２合成光学的像と空間的にコーディネートされている、請求項１に記載のマイクロ光学的膜構造体。
【請求項３】
前記１つ以上の第１合成光学的像および前記１つ以上の第２合成光学的像は、拡大された像である、請求項２に記載のマイクロ光学的膜構造体。
【請求項４】
前記１つ以上の第１合成光学的像は、拡大された像である、請求項１に記載のマイクロ光学的膜構造体。
【請求項５】
（ａ）１つ以上のポリマー膜材料と、
（ｂ）前記ポリマー膜材料の上またはその内部に位置する一次像の１つ以上の平面状の配置と、
（ｃ）前記ポリマー膜材料または前記一次像の平面状配置の上またはその近くに位置する合焦要素の１つ以上の平面状の配置とを備え、
前記合焦要素の平面状の配置を通して前記一次像の平面状の配置を見ると、１つ以上の第１合成光学的像が投影されるように前記平面状の配置が構成されており、
（ｄ）１つ以上の一次像および／または１つ以上の合焦要素の上に、直接または間接的に重ねられるか、またはこれらを介して形成された１つ以上の二次像とを更に備え、
前記１つ以上の二次像は、前記１つ以上の第１合成光学的像と空間的にコーディネートされた静止画像として見え、
前記膜構造体によって投影された前記１つ以上の第１合成光学的像と共に、前記静止画像を見ると、前記静止画像は、前記１つ以上の投影像を視覚的に強化またはキャンセルするようになっている、請求項１に記載のマイクロ光学的膜構造体。
【請求項６】
前記１つ以上の一次像は、前記１つ以上のポリマー膜材料の上またはその内部に形成された、オプションとして充填された空隙またはリセスである、請求項５に記載のマイクロ光学的膜構造体。
【請求項７】
前記１つ以上の第１合成光学的像は、拡大された像である、請求項５に記載のマイクロ光学的膜構造体。
【請求項８】
前記膜構造体を傾けるか、または異なるビュー角から見ると、前記１つ以上の拡大された第１合成光学的像は、オルソパララックス（視差）による動きを示す、請求項７に記載のマイクロ光学的膜構造体。
【請求項９】
前記１つ以上の二次像は、プリントされた像である、請求項５に記載のマイクロ光学的膜構造体。
【請求項１０】
前記１つ以上の二次像は、光学的に可変のホログラフィホイルパッチまたはストリップの形態となっている、請求項５に記載のマイクロ光学的膜構造体。
【請求項１１】
前記１つ以上の二次像は、前記膜構造体の厚みを完全に貫通する微視的な孔の形態をしている、請求項５に記載のマイクロ光学的膜構造体。
【請求項１２】
前記１つ以上の第１合成光学的像と、前記１つ以上の二次像または静止画像とは、共に判読可能なフェーズを形成する、請求項７に記載のマイクロ光学的膜構造体。
【請求項１３】
前記１つ以上の二次像または静止画像は、前記投影像と静止画像とがマージしたときにキャンセルが生じるようになっている、請求項５に記載のマイクロ光学的膜構造体。
【請求項１４】
（ａ）両面を有するポリマー膜材料と、
（ｂ）前記ポリマー膜材料の表面の上またはその内部に位置する一次像の平面状の配置と、
（ｃ）前記ポリマー膜材料の両面の上に位置する合焦要素の平面状の配置とを備え、
前記合焦要素の平面状の配置を通して前記一次像の平面状の配置を見ると、１つ以上の拡大された第１合成光学的像が投影されるように前記平面状の配置が構成されており、
（ｄ）１つ以上の一次像および／または前記１つ以上の合焦要素の上に、直接または間接的に重ねられるか、またはこれらを介して形成された１つ以上の二次像とを更に備え、
前記１つ以上の二次像は、前記１つ以上の拡大された第１合成光学的像と空間的にコーディネートされた静止画像として見え、
前記膜構造体を傾けるか、または異なるビュー角から見ると、前記膜構造体により投影された前記１つ以上の拡大された第１合成光学的像は、オルソパララックス（視差）による動きを示し、
前記膜構造体によって投影された前記１つ以上の拡大された第１合成光学的像と共に、前記静止画像を見ると、前記静止画像は、前記１つ以上の拡大された投影像を視覚的に強化またはキャンセルするようになっている、請求項５に記載のマイクロ光学的膜構造体。
【請求項１５】
前記１つ以上の一次像は、前記ポリマー膜構造体の上またはその内部に形成された、オプションとして満たされた空隙またはリセスであり、前記１つ以上の二次像はプリントされた像である、請求項１４に記載のマイクロ光学的膜構造体。
【請求項１６】
（ａ）１つ以上のポリマー膜材料と、
（ｂ）前記ポリマー膜材料の上またはその内部に位置する１つ以上の像の平面状の配置と、
（ｃ）前記ポリマー膜材料または前記像の平面状配置の上またはその近くに位置する１つ以上の合焦要素の平面状の配置とを備え、
前記合焦要素の平面状の配置を通して前記像の平面状の配置を見ると、１つ以上の合成光学的像が投影されるように前記平面状の配置が構成されており、
（ｄ）前記１つ以上の像および／または１つ以上の合焦要素の上に、直接または間接的に重ねられるか、またはこれらを介して形成された１つ以上の静止画像とを備え、１つ以上の静止画像は、直接的に又は合焦要素に投影されること無しに合焦要素の１つ以上の平面状の配置を介して見え、
前記１つ以上の合成光学的像は、
（ａ）１つ以上の新しい像を形成し、および／または
（ｂ）前記１つ以上の合成光学的像の見かけの動きを増幅することにより、
前記１つ以上の合成光学的像を同時に見ると、それらの相互の空間的配置に起因する１つ以上の静止画像をもって視覚的に強化されるように、前記１つ以上の合成光学的画像が、前記１つ以上の静止画像と共に空間的にコーディネートされ、
前記１つ以上の静止画像は、ラインパターン、ドットパターン、込み入ったウェビングまたはギロシュパターン、あるいは小さい装飾模様から選択された模様の形の、あるいはそれらの相互の空間的配置に起因する１つ以上の静止画像によって視覚的に検出できないようキャンセルまたは表示され、
前記１つ以上の静止画像は合成光学的像のネガ像又は反転像であり、
前記１つ以上の光学的画像は拡大された像であり、
前記膜構造体を傾けるか、または異なるビュー角から見ると、拡大された前記１つ以上の合成光学的像は、オルソパララックス（視差）による動きを示す、
マイクロ光学的膜構造体。
【請求項１７】
（ａ）１つ以上のポリマー膜材料と、
（ｂ）前記ポリマー膜材料の上またはその内部に位置する１つ以上の像の平面状の配置と、
（ｃ）前記ポリマー膜材料または前記像の平面状配置の上またはその近くに位置する１つ以上の合焦要素の平面状の配置とを備え、
前記合焦要素の平面状の配置を通して前記像の平面状の配置を見ると、１つ以上の合成光学的像が投影されるように前記平面状の配置が構成されており、
（ｄ）前記１つ以上の像および／または１つ以上の合焦要素の上に、直接または間接的に重ねられるか、またはこれらを介して形成された１つ以上の静止画像とを更に備え、
１つ以上の静止画像は、直接的に見られるか又は合焦要素に投影されること無しに合焦要素の１つ以上の平面状の配置を介して見られ、
前記１つ以上の合成光学的像は、
（ａ）１つ以上の新しい像を形成し、および／または
（ｂ）前記１つ以上の合成光学的像の見かけの動きを増幅することにより、
前記１つ以上の合成光学的像を同時に見ると、それらの相互の空間的配置に起因する１つ以上の静止画像をもって視覚的に強化されるように、前記１つ以上の合成光学的画像が、前記１つ以上の静止画像と共に空間的にコーディネートされ、
前記１つ以上の静止画像は、ラインパターン、ドットパターン、込み入ったウェビングまたはギロシュパターン、あるいは小さい装飾模様から選択された模様の形の、あるいはそれらの相互の空間的配置に起因する１つ以上の静止画像によって視覚的に検出できないようキャンセルまたは表示され、
前記１つ以上の静止画像は、前記膜構造体の厚みを完全に貫通する微視的な孔の形態をしている、
マイクロ光学的膜構造体。
【請求項１８】
（ａ）両面を有するポリマー膜材料と、
（ｂ）前記ポリマー膜材料の表面の上またはその内部に位置する像の平面状の配置と、
（ｃ）前記ポリマー膜材料の両面の上に位置する合焦要素の平面状の配置とを備え、
前記合焦要素の平面状の配置を通して前記像の平面状の配置を見ると、１つ以上の拡大された合成光学的像が投影されるように前記平面状の配置が構成されており
（ｄ）前記１つ以上の像および／または前記１つ以上の合焦要素の上に、直接または間接的に重ねられるか、またはこれらを介して形成された１つ以上の静止画像とを更に備え、
前記１つ以上の静止画像は、直接的に見られるか又は合焦要素に投影されること無しに合焦要素の１つ以上の平面状の配置を介して見られ、
前記１つ以上の合成光学的像は、
（ａ）１つ以上の静止画像をもった１つ以上の新しい像を形成し、および／または、
（ｂ）前記１つ以上の合成光学的像の見かけの動きを増幅することにより、
前記１つ以上の合成光学的像を同時に見ると、それらの相互の空間的配置に起因する１つ以上の静止画像をもって視覚的に強化されるように、前記１つ以上の合成光学的画像が、前記１つ以上の静止画像と共に空間的にコーディネートされ、
ラインパターン、ドットパターン、込み入ったウェビングまたはギロシュパターン、あるいは小さい装飾模様から選択された模様の形の１つ以上の静止画像、あるいはそれらの相互の空間的配置に起因する１つ以上の静止画像によって視覚的に検出できないようキャンセルまたは表示され、
前記膜構造体を傾けるか、または異なるビュー角から見ると、膜構造に投影された前記１つ以上の拡大された合成光学的像は、オルソパララックス（視差）による動きを示す、
マイクロ光学的膜構造体。
【請求項１９】
前記１つ以上の像は、１つ以上のポリマー膜材料の上またはその内部に形成されオプションとして充填された空隙またはリセスであり、１つ以上の静止画像はプリントされている像である、請求項１８に記載のマイクロ光学的膜構造体。
【請求項２０】
合焦要素の１つ以上の平面状の配置を有するマイクロ光学的膜構造体であって、
空隙またはリセツにオプションとして充填された形態の１つ以上の像の平面状の配置を有し、
前記平面状の配置は、前記像の平面状の配置を合焦要素の平面状の配置を通して見るときに１つ以上の合成光学的像が合焦要素１つ以上の平面状の配置を通して投影されるように構成され、
前記マイクロ膜光学的構造体は、直接的に見られるか又は合焦要素に投影されること無しに合焦要素の１つ以上の平面状の配置を通して見られる１つ以上の静止画像をさらに有し、
前記１つ以上の合成光学的像は、
（ａ）１つ以上の静止画像もった１つ以上の新しい像を形成し、および／または
（ｂ）前記１つ以上の合成光学的像の見かけの動きを増幅することにより、
前記１つ以上の合成光学的像を同時に見ると、それらの相互の空間的配置に起因して１つ以上の静止画像によって視覚的に強化されるように、前記１つ以上の合成光学的画像が、前記１つ以上の静止画像と共に空間的にコーディネートされ、
ラインパターン、ドットパターン、込み入ったウェビングまたはギロシュパターン、あるいは小さい装飾模様から選択された模様の形の１つ以上の静止画像、あるいはそれらの相互の空間的配置に起因する１つ以上の静止画像によって視覚的に検出できないようキャンセルまたは表示される、マイクロ光学的膜構造体。
【請求項２１】
前記１つ以上の像の平面状の配置は、充填された空隙またはリセスの形態である、請求項２０に記載のマイクロ光学的膜構造体。
【請求項２２】
前記１つ以上の合成光学的像は、１つ以上の静止画像に１つ以上の新しい像を形成し、それらの相互の空間的配置に起因して１つ以上の静止画像によって視覚的に強化される、請求項２０に記載のマイクロ光学的膜構造体。
【請求項２３】
前記１つ以上の合成光学的像は、前記１つ以上の合成光学的像の見かけの動きを増幅することにより、それらの相互の空間的配置に起因して１つ以上の静止画像をもって視覚的に強化されるように、前記１つ以上の静止画像はラインパターン、ドットパターン、込み入ったウェビングまたはギロシュパターン、あるいは小さい装飾模様から選択された模様の形である、請求項２０に記載のマイクロ光学的膜構造体。
【請求項２４】
前記１つ以上の合成光学的像は、それらの相互の空間的配置に起因して１つ以上の静止画像によって視覚的に検出できないようキャンセルまたは表示される、請求項２０に記載のマイクロ光学的膜構造体。
【請求項２５】
合焦要素の１つ以上の平面状配置を有する、マイクロ光学的膜構造体であって、
前記マイクロ光学的膜構造体は、前記合焦要素の１つ以上の平面状配置を通して１つ以上の合成光学的像を投影する前記合焦要素の１つ以上の平面状配置と、前記合焦要素により投影されることなく前記合焦要素の前記１つ以上の平面状配置を通して見られる１つ以上の静止画像とを有し、
前記１つ以上の合成光学的像は、
（ａ）該１つ以上の合成光学的像の少なくとも１つのカラー、光学的密度、光度またはバックグラウンドの変化させること、
（ｂ）前記１つ以上の合成光学的像の見かけの動きを増幅し、前記１つ以上の静止画像は、ラインパターン、ドットパターン、込み入ったウェビングまたはギロシュパターン、あるいは小さい装飾模様から選択された模様の形のであること、および／または
（ｃ）判読可能なフェーズを形成すること、
を通して、それらの相互の空間的配置に起因する１つ以上の静止画像よって視覚的に強化またはキャンセルされるように、前記１つ以上の合成光学的像は、前記１つ以上の静止画像と空間的にコーディネートされる、マイクロ光学的膜構造体。
【請求項２６】
１つ以上の像の平面状配置を有し、前記像は、１つ以上のポリマー膜材料の上またはその内部に形成されたオプションとして充填された空隙またはリセスにオプションである、請求項２５に記載のマイクロ光学的膜構造体。
【請求項２７】
前記像は、１つ以上のポリマー膜材料の上またはその内部に形成された空隙またはリセスに充填されている、請求項２６に記載のマイクロ光学的膜構造体。
【請求項２８】
前記１つ以上の合成光学的像は、該１つ以上の合成光学的像の少なくとも１つのカラー、光学的密度、光度またはバックグラウンドの変化をとおして、それらの相互の空間的配置に起因する１つ以上の静止画像よって視覚的に強化またはキャンセルされる、請求項２５に記載のマイクロ光学的膜構造体。
【請求項２９】
前記１つ以上の合成光学的像は、前記１つ以上の合成光学的像の見かけの動きを増幅することにより、それらの相互の空間的配置に起因する１つ以上の静止画像よって視覚的に強化またはキャンセルされ、前記１つ以上の静止画像は、ラインパターン、ドットパターン、込み入ったウェビングまたはギロシュパターン、あるいは小さい装飾模様から選択された模様の形である、請求項２５に記載のマイクロ光学的膜構造体。
【請求項３０】
前記１つ以上の合成光学的像は、判読可能なフェーズを形成し、それらの相互の空間的配置に起因する１つ以上の静止画像をもって視覚的に強化されるかあるいはキャンセルされる、請求項２５に記載のマイクロ光学的膜構造体。
【請求項３１】
セキュリティドキュメントまたはラベルの１つの表面内に部分的に埋め込まれ、および／またはその表面に取り付けられた、請求項１〜３０のいずれか１項に記載の少なくとも１つのマイクロ光学的膜構造体を備える、両面を有するセキュリティドキュメントまたはラベル。
【発明の詳細な説明】
【技術分野】
【０００１】
本発明は、一般的には像を投影するための光学的システムに関し、より詳細には、単独で、またはセキュリティドキュメントまたはラベルと共に、静止画像および／または他の投影された像により空間的にコーディネートされた像を投影するマイクロ光学的膜構造体に関し、前記静止画像および／または投影された他の像は、投影された像を視覚的に強化するか、またはキャンセルするように働く。
【０００２】
本願は、本明細書で全体を参考例として援用する、２００６年５月１２日に出願された米国仮特許出願第60/800,257号に基づく優先権を主張するものである。
【背景技術】
【０００３】
光学的材料は、これまで長く、バンクノート（銀行券）で使用されるセキュリティスレッドへの貴重な追加表示として認識されてきた。これら材料は、セキュリティスレッドおよび、したがってバンクノートをより偽造しにくいものにしながら、種々の自己認証光学的効果を可能にしている。
【０００４】
例えばスティーンブリック外を発明者とする米国公開特許出願第2005/0180020A1号は、マイクロ像を拡大するために、非円筒形レンズの規則的な二次元アレイを使用する膜材料を示している。この膜材料または構造体は、（ａ）１つ以上の光学的スペーサと、（ｂ）光学的スペーサの１つの表面に位置する像アイコンの規則的な周期的平面状アレイと、（ｃ）光学的スペーサの反対の表面に位置するレンズの規則的な周期的アレイとを備える。これらレンズは、関連する像アイコンの周辺エッジが視界からドロップアウトしないように、関連する像アイコンの幅にわたって拡大された視野を提供する多角形ベースのマルチゾーンレンズまたは５０ミクロン未満の有効ベース直径を有する非球面レンズとして記述されている。この参考文献はレンズの有効ベース直径を５０ミクロン未満にしなければならないこと、およびレンズの焦点長さを４０ミクロン未満としなければならないことを教示している。この膜構造体により投影される像は、オルソパララックス（視差）による動きを含む多数の視覚的効果を示すことがレポートされている。
【先行技術文献】
【特許文献】
【０００５】
【特許文献１】米国公開特許出願第2005/0180020A1号
【発明の概要】
【発明が解決しようとする課題】
【０００６】
セキュリティストリップまたはスレッドの形態をしたこれらマイクロ光学的膜構造体は、セキュリティドキュメント（例えばバンクノート）の表面に取り付けられるか、または一部がドキュメント内に埋め込まれ、ドキュメントの表面上の明瞭に構成されたウィンドー内に膜構造体を見ることができるようになっている。
【０００７】
セキュリティドキュメント上、またはその内部で使用されるときのマイクロ光学的膜構造体の光学的効果を保存するために、膜構造体の領域におけるプリントを回避または最小とするよう、ドキュメントの両面にプリントがなされている。
【課題を解決するための手段】
【０００８】
本発明によれば、膜構造体の領域にプリントしても、膜構造体の光学的性能が損なわれることはなく、実際にこの膜構造体の領域におけるプリントを使って、かかるマイクロ光学的膜構造体に投影される像を強化またはキャンセルし、これらデバイスを視覚的により魅力的にし、好適なセキュリティ特性としてより効果的にできることが分かった。
【０００９】
従って、本発明は、１つ以上の第１合成光学的像およびオプションとして１つ以上の第２合成光学的像を投影するマイクロ光学的膜構造体であって、前記１つ以上の第１合成光学的像は、（ｉ）１つ以上の静止画像、（ｉｉ）前記１つ以上の第２合成光学的像または（ｉｉｉ）前記１つ以上の静止画像と前記１つ以上の第２合成光学的像との組み合わせである、マイクロ光学的膜構造体を提供するものである。
【００１０】
１つの考えられる実施例では、本発明のマイクロ光学的膜構造体は、１つ以上の静止画像と空間的にコーディネートされた１つ以上の第１合成光学的像を投影し、基本的には、
（ａ）１つ以上のポリマー膜材料と、
（ｂ）前記ポリマー膜材料の上またはその内部に位置する一次像アイコンの１つ以上の平面状の配置と、
（ｃ）前記ポリマー膜材料または前記一次像アイコンの平面状配置の上またはその近くに位置する合焦要素の１つ以上の平面状の配置とを備え、
前記合焦要素の平面状の配置を通して前記一次像アイコンの平面状の配置を見ると、１つ以上の第１合成光学的像が投影されるように前記平面状の配置が構成されており、
（ｄ）１つ以上の一次像アイコンおよび／または１つ以上の合焦要素の上に、直接または間接的に重ねられるか、またはこれらを介して形成された１つ以上の二次像アイコンとを更に備え、
前記１つ以上の二次像アイコンは、前記１つ以上の第１合成光学的像と空間的にコーディネートされた静止画像として見え、
前記膜構造体によって投影された前記１つ以上の第１合成光学的像と共に、前記静止画像を見ると、前記静止画像は、前記１つ以上の投影像を視覚的に強化またはキャンセルするようになっている。
【００１１】
当業者であれば、上記記載から明らかとなるように、合焦要素またはレンズの焦点平面の上またはその内部に１次像アイコンを（および可能な場合には、２次像アイコンも）置くと、合焦要素またはレンズの平面状配置により／この配置を介して合成光学的像が形成または投影される。上記記載から更に明らかとなるように、静止画像は、合焦要素またはレンズの焦点平面の外側に像アイコン（例えば、プリントされた情報）を置いた結果生じる像である。このように、これら像アイコンを直接見てもよいし、またはマイクロ光学的膜構造体を介して見てもよいが、像アイコンは合焦要素またはレンズの膜構造体の平面状配置によって投影されるが、像形成されることはない。
【００１２】
本発明は、セキュリティドキュメントまたはラベルの表面内に部分的に埋め込まれ、および／またはその表面に取り付けられた、上記のような少なくとも１つのマイクロ光学的膜構造体を含む、両面を有するセキュリティドキュメントまたはラベルを更に提供するものである。
【００１３】
本発明のセキュリティドキュメントまたはラベルの可能な一実施例では、例えばマイクロ光学的膜構造体の合焦要素に直接二次像アイコンをプリントすることにより、一次像アイコンの上および／またはマイクロ光学的膜構造体の合焦要素の上に直接二次像アイコンが重ねられる。この場合、膜構造体は、セキュリティドキュメントまたはラベルに部分的に埋め込まれ、その第１表面または上方表面上に明瞭に構成されたウィンドー内で見ることができる。
【００１４】
別の可能な実施例では、膜構造体は再びセキュリティドキュメントまたはラベル内に部分的に埋め込まれ、二次像アイコンは、例えば埋め込まれた膜構造体に重なるドキュメントまたはラベルの反対の第２の表面、すなわち下方表面に、二次像アイコンをプリントすることにより、一次像アイコンに間接的に重ねられる。ドキュメントまたはラベルの下方表面に位置する二次像アイコンの代わりに、またはその二次像アイコンに加えて、例えばドキュメントまたはラベルの上方表面上のウィンドー領域上に直接、および／またはウィンドー領域の間に二次像アイコンをプリントすることにより、合焦要素に二次像アイコンを間接的および／または直接張り付けてもよい。
【００１５】
本発明は更に、上記のようなマイクロ光学的膜構造体およびセキュリティドキュメントまたはラベルを認証するための方法を更に提供するものであり、この方法は、
（ａ）前記マイクロ光学的膜構造体の合焦要素の平面状の配置の上で、コヒーレントな光源の向きを浅い角度に定め、ユニークなパターンを投影するステップと、
（ｂ）前記投影されたユニークなパターンを検出するステップと、
（ｃ）前記投影され、検出されたユニークなパターンと、予想されるパターンとを比較するステップとを備える。
【００１６】
次の詳細な説明および添付図面から、当業者には、本発明の上記以外の特徴および利点が明らかとなろう。
【００１７】
特に明記しない限り、本明細書で使用する科学技術用語は、本発明が属す技術に関して通常の知識を有する者が共通に理解する意味と同じ意味を有する。本明細書で引用するすべての刊行物、特許出願、特許およびその他の文献の全体を参考例として援用する。競合が生じた場合、定義を含む本明細書が基準となる。更に、材料、方法および例は、単に説明のためのものであり、これらに限定されるものではない。
【図面の簡単な説明】
【００１８】
【図１】セキュリティドキュメント、例えばバンクノート内に部分的に埋め込まれた、スティーンブリック外を発明者とする米国公開特許出願第2005/0180020A1号に記載されているような、マイクロ光学的膜構造体の横断面図である。
【図２】膜構造体の合焦要素またはレンズに直接二次像アイコンが重ねられている、セキュリティドキュメントに一部が埋め込まれた、本発明のマイクロ光学的膜構造体の一実施例の横断面図である。
【図３】膜構造体の一次像アイコンに二次像アイコンが直接重ねられている、本発明の一部が埋め込まれたマイクロ光学的膜構造体の別の実施例の横断面図である。
【図４】セキュリティドキュメントの第２表面、すなわち下方表面に膜構造体を張り付けることにより、膜構造体の一次像アイコンに二次像アイコンが間接的に重ねられている、本発明の一部が埋め込まれたマイクロ光学的膜構造体の更に別の実施例の横断面図である。
【図５】セキュリティドキュメントの上方表面および下方表面の双方に二次像アイコンが張り付けられている、本発明の一部が埋め込まれたマイクロ光学的膜構造体の更に別の実施例の横断面図である。
【図６（Ａ）−（Ｄ）】（拡大され、オルソパララックスによる動きを示す）投影された像と、（静止画像として見える）二次像アイコンとが空間的にコーディネートされており、本発明のセキュリティドキュメントまたはラベルを傾けると、投影像と静止画像が一致するようになっている、本発明の一実施例を示す平面図である。
【図７（Ａ）−（Ｄ）】（拡大され、オルソパララックスによる動きを示す）投影された像と、（静止画像として見える）二次像アイコンとが空間的にコーディネートされており、本発明のセキュリティドキュメントまたはラベルを傾けると、投影像と静止画像が異なる像を共に形成するようになっている、本発明の別の実施例を示す平面図である。
【図８（Ａ）−（Ｃ）】（拡大され、オルソパララックスによる動きを示す）投影された像と、（静止画像として見える）二次像アイコンとが空間的にコーディネートされており、本発明のセキュリティドキュメントまたはラベルを傾けると、投影像の見かけの動きが増幅されるようになっている、本発明の更に別の実施例を示す平面図である。
【図９（Ａ）−（Ｄ）】（拡大され、オルソパララックスによる動きを示す）投影された像と、（静止画像として見える）二次像アイコンとが空間的にコーディネートされており、本発明のセキュリティドキュメントまたはラベルを傾けると、投影像と静止画像とが互いにキャンセルし合い、よって見ることができなくなるようになっている、本発明の更に別の実施例を示す平面図である。
【発明を実施するための形態】
【００１９】
添付図面を参照し、本明細書に開示する発明の特別な特徴について説明する。
【００２０】
バンクノートの設計者の目的の１つは、一般大衆の注意を引き、容易に認識できる明瞭なセキュリティ上の特徴を使用することである。これら明瞭なセキュリティ上の特徴は、偽造または模造が困難であるものでなければならず、更に理想的には、別の装置を必要とすることなく、通常の取引中に利用できる短時間の間に真正なものと容易に認識できるものでなければならない。本発明の好ましい実施例では、一般大衆の注意を引くための公知のマイクロ光学的膜構造体の能力を大幅に高め、この明瞭なセキュリティ上の特徴の有効性を高めることができる。
【００２１】
以下、本発明の膜構造体を、バンクノートに関連して使用されるセキュリティストリップまたはスレッドとして主に説明するが、本発明はこれらに限定されるものではない。本発明の膜構造体は、認証目的のために任意のドキュメント（例えばバンクノート、パスポート、ＩＤカード、クレジットカード）、ラベル、識別のための手段、商業的製品（例えば光ディスク、ＣＤ、ＤＶＤ、医薬品のパッケージ）などと共に種々の異なる形態で使用できる。
【００２２】
本発明のポリマー膜材料は、光学的スペーサとしても機能し得る光透過性支持層である。ポリマー膜材料は、ポリエステル、ポリエチレン、ポリエチレンテレフタレート、ポリプロピレン、ポリビニルカーボネート、ポリ塩化ビニリデンおよびそれらの組み合わせを含む群から選択された、基本的には無色の１つ以上のポリマーを使って形成できる。
【００２３】
ポリマー膜材料の厚さは約１２〜２６ミクロン（より好ましくは約１７〜２１ミクロン）の範囲であることが好ましい。
【００２４】
拡大できるか、および／または１つ以上の視覚的効果を示す像を投影する、本発明の膜構造体の合焦要素、すなわちレンズの１つ以上の平面状の配置は、
i.円筒形レンズまたは非円筒形レンズの１つ以上の平面状の配置と、
ii.合焦反射器の１つ以上の平面状の配置と、
iii.複数の開口部を含む１つ以上の不透明層と、
iv.１つ以上の反射層
の群から選択することが好ましい。
【００２５】
より好ましい実施例では、球面または非球面を有する非円筒形レンズが使用される。非球面として円錐形プロフィル、楕円形プロフィル、パラボラプロフィルおよびその他のプロフィルを挙げることができる。これらレンズは円形、楕円形または多角形ベースの幾何学的形状を有することができ、規則的なアレイまたはランダムなアレイ、一次元のアレイまたは二次元のアレイに配置できる。更に好ましくは、合焦要素はポリエステル膜材料上の規則的な二次元アレイ内に配置された多角形（例えば六角形）のベース幾何学的形状を有する非球面レンズである。
【００２６】
従属合焦要素、すなわちレンズ（円筒形レンズの場合）の好ましい幅とベース直径（非円筒形レンズの場合）は５０ミクロン未満（より好ましくは約４５ミクロン、最も好ましくは約１０〜４０ミクロン）である。好ましい焦点長さは５０ミクロン未満（より好ましくは約４５ミクロン以下、最も好ましくは約１０〜３０ミクロン）である。
好ましいｆ値は２またはそれ以下（より好ましくは１またはそれ以下）である。
【００２７】
本発明の実施にあたって使用される１次像アイコンは、視覚的に検出でき、可能な場合にはマシンで検出、すなわちマシンで読み取りできるポジまたはネガの記号、文字および／または番号を含む任意の形態でよいが、これらだけに限定されるものではない。これらアイコンは、例えば二次的像アイコンのために後述するプリント方法およびセキュリティインク、（例えば赤外線インク）を使ってプリントすることができるが、空隙またはリセスから形成された像アイコンおよびキャスティングまたは感熱プロセスによって形成される盛り上がった像アイコンが好ましい。
【００２８】
本発明によって可能となる一実施例では、１次像アイコンは、オプションとしてコーティングされ、および／または充填された空隙またはリセスであり、これら空隙またはリセスは、１つ以上のポリマー膜材料上、またはその内部に形成されている。１に等しいアスペクト比（幅対高さの比）を有し、１つの合焦要素またはレンズにしか関連しないこれらアイコンのタイプは、スティーンブリック外を発明者とする米国公開特許出願第2005/0180020A1号に詳細に記載されている。
【００２９】
充填されたリセスを像アイコンが構成するような実施例に対しては、リセスを充填するのに使用される材料（例えば実質的に透明またはクリアな放射線硬化性樹脂状材料）に光変換またはルミネッセンス材料を添加してもよい。これら材料は、充填材料の重量をベースとして、約２〜３０重量％（好ましくは約５〜１０重量％）の範囲の量を添加することができる。充填材料に対して粒子状に添加する際には、これら光変換材料またはルミネッセンス材料の平均粒径は、約２ミクロン以下（好ましくは約１ミクロン以下）である。
【００３０】
更に、実質的に透明な、無色または薄いカラーの樹脂または樹脂状材料により、リセスとして形成される像アイコンを１つ以上の磁気材料、例えば磁気インクで満たしてもよい。
【００３１】
本発明のマイクロ光学的膜構造体により投影される像を拡大してもよいし、および／またはこの像が１つ以上の視覚的効果を呈してもよい。
【００３２】
投影される像の拡大率は合焦要素またはレンズと１次像アイコンの平面上の配置の対象軸線との間のスキュー度のようなファクター数によって決定される。当業者であれば後に容易に理解できるように、スキュー度が小さければ、拡大率は大きくなり、スキュー度が大きければ、拡大率は小さくなる。他のファクター、例えば２つの平面状配置の相対的スケールおよびレンズのｆ数は、投影される像の拡大率だけでなく、その回転、オルソパララックスによる動きおよび見かけの視覚深度に影響を与え得る。ｆ数は、レンズの焦点長さ（ｆ）をレンズの有効最大径（Ｄ）で、割って得られる商として定められる。
【００３３】
可能な視覚的効果を検討すると、マイクロ光学的膜構造体が両面に非円筒形レンズおよび像アイコン（例えば満たされたリセス）の規則的な二次元アレイを有するポリマー膜材料を含む一実施例では、上方表面よりも上の位置から見たとき、反射光または透過光においてマイクロ光学的膜構造体は次のような１つ以上の像を投影する。
i.膜構造体を傾けるか、または異なるビュー角から見ると、オルソパララックスによる動きを示す像
ii.膜構造体の厚さよりも深い空間平面にあるように見える像
iii.膜構造体の表面よりも上の空間表面にあるように見える像
iv.膜構造体をアジマス方向に回転すると、膜構造体の厚さよりも深い空間平面と膜構造体の表面よりも上の空間平面との間で振動するような像
v.膜構造体をアジマス方向に回転するか、または異なるビューポイントから見たときに、ある形態、形状、サイズおよび／またはカラーから、異なる形態、形状、サイズおよび／またはカラーに変化する像
vi.三次元像として見える像および／または
vii.膜構造体を照明すると、膜構造体の空間平面に像が位置するように見える像。
【００３４】
スティーンブリック外を発明者とする米国公開特許出願第2005/0188020A1号に記載されているように、このオルソパララックスによる効果は、合焦要素と像アイコンまたはインデックスの対称軸線が不整合であるときに、実質的に１.００００に等しいスケール比（すなわち合焦要素またはレンズの繰り返し周期に対する像アイコンまたはインデックスの繰り返し周期の比）の結果生じるものである。膜構造体の厚さよりも深い空間平面にあるように見えるのは、合焦要素と像アイコンまたはインデックスの対称軸線が実質的に整合しているときに、１.００００未満のスケール比の結果生じるものであり、他方、膜構造体の表面より上の空間平面にあるように見えるのは、合焦要素と像アイコンまたはインデックスの対称軸線が実質的に整合しているときに、１.００００よりも大きいスケール比から生じる。膜構造体がアジマス方向に回転されるときに、膜構造体の厚さよりも深い空間平面と膜構造体の表面よりも上の空間平面との間で振れるように見えるのは、スケール比の値が軸方向に非対称である結果（例えばＸ方向に０.９９５であり、Ｙ方向に１.００５であること）から生じる。
【００３５】
合焦要素またはレンズの平面状配置を通して、一次像アイコンの平面状配置を見ると、合成拡大された１つ以上の像が投影され、この像は膜構造体を傾けるか、または異なるビュー角から見たときにオルソパララックスによる動きを示す。
【００３６】
静止画像または他の投影像として見られる二次像アイコンは、可視光（反射光および／または透過光）、紫外線光または赤外線光内で見ることができ、マイクロ光学的膜構造体の投影された第１合成光学像と空間的にコーディネートされる。投影された像と共にディスプレイされるとき、好ましくは実質的に固定された、または静止した基準ポイントを構成することが好ましい二次像アイコンは、投影された像を視覚的に強化（例えば補足したり、完全にしたり）するように働くか、または投影された像をキャンセルするように働く。例えば投影された像を補助具をつけていない眼にとって見ることができないようにする。
【００３７】
投影された像を視覚的に強化するように働くとき、二次像アイコンの位置、全体のサイズ、形状、スペースおよびカラーは、投影された像と調和して働くように選択されている。二次像により実行される視覚的強化は、（ｉ）投影された像またはそのバックグラウンドのカラー、光学的密度または光度の変化、（ｉｉ）１つ以上の新しい像の形成、（ｉｉｉ）投影された像の見かけの動きの増幅、およびその他を構成できる。
【００３８】
投影された像をキャンセルするように働くとき、二次像アイコンは投影された静止画像が生じるときにキャンセルが生じるように、投影像のネガ像または反転像となる。
【００３９】
可視光で見ることができる二次像アイコンに対して、この像アイコンをマイクロ光学的膜構造体に対する配置は、このアイコンを反射光および／または透過光内で見ることができるかどうかを決定する。より詳細に説明すれば、セキュリティドキュメントまたはラベルの第１表面、すなわち上方表面から、ウィンドーのついた膜構造体を見ると、膜構造体の合焦要素またはレンズに直接張り付けられた二次像アイコンを、反射光または透過光にてウィンドー領域内に見ることができ、他方、一次像アイコンに間接的に張り付けられた二次像アイコン（例えば埋め込まれた膜構造体に重なっているドキュメントまたはラベルの反対の第２表面、すなわち下方表面にある二次像アイコンのプリント）は、透過光でしか見ることができない。一次像アイコンに直接張り付けられた適当なサイズの二次像アイコンは、反射光と透過光の双方でウィンドー領域内に見ることができる。
【００４０】
次に、添付図面中の図１を参照すると、この図には、スティーンブリック外を発明者とする米国公開特許第2005/0180020A1号に記載されているような、マイクロ光学的膜構造体１が、セキュリティドキュメント、例えばバンクノート２内に部分的に埋め込まれた状態に示されている。
【００４１】
図２および３には、本発明のマイクロ光学的膜構造体の好ましい実施例全体が１０で示されている。このマイクロ光学的膜構造体１０は、これら図では、ドキュメントまたはラベル１２の上方表面１６にある開口部またはウィンドー１４を通して見ることができるセキュリティドキュメントまたはラベル１２内に部分的に埋め込まれた状態に示されている。
【００４２】
本発明の膜構造体１０は、ポリマー膜材料１８と、六角形ベースの幾何学的形状を有する非球面レンズの形態をした合焦要素またはレンズ２０の規則的な二次元アレイと、満たされたリセスの形態をした一次像アイコン２２の規則的な二次元アレイと、１つ以上の合焦要素またはレンズ２０（図２）に直接重ねられるか、または１つ以上の一次像アイコン２２（図３）に直接重ねられた二次像アイコン２４とを備える。図２では、二次像アイコン２４は、投影された像と空間的にコーディネートされた静止画像として見える。図３では、各二次像アイコン２４はアレイ内の各レンズ２０よりも小さいサイズとなっているので、レンズアレイを通して合成像（すなわち第２合成光学的像）を投影できる。しかしながら、二次像アイコン２４が各レンズ２０よりも大きいサイズとなっている場合、静止画像（および投影された合成像でない像）が結果として生じる。
【００４３】
図４には、本発明のセキュリティドキュメントまたはラベルの好ましい実施例の全体が番号２６で示されている。図１のマイクロ光学的膜構造体は、セキュリティドキュメントまたはラベル２６内に部分的に埋め込まれており、二次像アイコン２４は一次像アイコン２２に重なったドキュメントまたはラベル２６の第２表面または下方表面２８に張り付けられており、投影された像と空間的にコーディネートされている。当業者であれば容易に明らかとなるように、膜構造体１の光透過性により、ドキュメントまたはラベル２６の上方表面から一次像アイコン２２と二次像アイコン２４の双方を同時に見ることが可能となっている。
【００４４】
図４に示された実施例に類似する別の可能な実施例（図示せず）では、マイクロ光学的膜構造体１の裏面には紫外線（ＵＶ）コーティングがコーティングされており、ドキュメントまたはラベル２６の第２表面、すなわち下方表面２８には、ＵＶセキュリティインクにより、二次像アイコン２４がプリントされている。この実施例では、二次像アイコン２４により可能となる視覚的強化は、ＵＶ照明のもとでしか見ることができない。
【００４５】
図５では、ドキュメントまたはラベル２６の上方表面１６および下方表面２８の双方に、二次像アイコン２４が張り付けられている。図には示されていないが、膜構造体のウィンドー領域および埋め込み領域の双方に、二次像アイコン２４を張り付けてもよい。
【００４６】
図６〜９には、二次像アイコン２４に投影像を空間的にコーディネートまたは調和させるいくつかの方法が示されている。これら図では、セキュリティドキュメントまたはラベル内に部分的に埋め込まれているような、各図の一部（Ｂ）に示された本発明のマイクロ光学的膜構造体１０は、オルソパララックスによる動きを示す１つ以上の像を投影する。膜構造体１０が傾けられると、投影像は通常のパララックスによって予想される方向に対して垂直に見える傾斜方向に動く。換言すれば、膜構造体１０が側面から側面に傾斜されると、投影された像は上下に動くように見える。二次像アイコン２４は、セキュリティドキュメントまたはラベルの第１表面または上方表面上の膜構造体１０の露出した部分、すなわちウィンドー部分に張り付け（すなわちプリント）されている。このように、アイコン２４は、セキュリティドキュメントまたはラベルの上方表面の一部に存在するだけでなく、マイクロ光学的膜構造体１０の合焦要素またはレンズ２０にも存在し、実質的に固定された、または静止した基準点を構成する。
【００４７】
図６では、投影された像３０は、カラーの眼の記号の形態をしているが、他方、二次像アイコン２４は、投影された眼の記号と同じサイズおよび形状を有する静止画像として見えるが、異なったカラーとなっている。部分（Ｂ）に示される円で囲んだ領域の拡大図である図６の部分（Ｃ）および（Ｄ）に最良に示されるように、反射光または透過光で見ると、カラーの眼の記号の重なった組は、ランダムまたは不規則な位置（部分（Ｃ））内に見えるが、セキュリティドキュメントまたはラベルを所定の角度に傾けると、眼の記号は重なった状態となり、異なるカラー（部分（Ｄ））となる。
【００４８】
図７では、投影された像３０と二次像アイコン２４とは、相互に関連した像／アイコンとなっている。この実施例では、投影像３０は部分的に形成された眼の記号（すなわち眼のアウトライン）であるが、他方、二次像アイコン２４は、投影像３０内にフィットするサイズの眼の瞳の形状をした静止画像のように見える。図７の部分（Ｃ）および（Ｄ）に最良に示されるように、反射光または透過光で見ると、部分的に形成された眼の記号の重なった部分および瞳は、ランダムな、または不規則な位置（部分（Ｃ））に見えるが、セキュリティドキュメントまたはラベルを所定の角度に傾けると、瞳は部分的に形成された眼の記号内に正しく位置し、よって新しい像３２（部分（Ｄ））を形成する。
【００４９】
相互に関連する像／アイコンの他の例として、幾何学的形状（すなわち正方形、円、菱形）の２つの部分またはデザイン（例えばロゴ、ポートレート、紋章）新しい数字を共に成す２つの数字、単語を共に形成する文字の２つのグループ、フレーズを共に形成する２つの単語などを挙げることができるが、これらに限定されるものではない。
【００５０】
図８では、投影像３０は、カラーの眼の記号の形態となっているが、二次像アイコン２４はプリントされた平行線の形態となっている。図８の部分（Ｃ）に最良に示されるように、反射光または透過光で見ると、セキュリティドキュメントまたはラベルを傾けたとき、プリントされた平行線は投影された眼の記号の見かけの動きを強調し、または大きくする。平行線の異なる分布度を使用すると、投影された眼の記号は異なる速度で動くように見えるが、平行線を形成するのにブラインドエンボス技術を使用すると、グラウンド内プールの底部にペイントされたレーンのライン上で、水のさざ波のプールによって生じる効果に類似する揺らぎまたは水の波紋タイプの特殊効果が生じる。
【００５１】
投影像の見かけの動きを強調または大きくするように働く他のパターンとして、他の平坦なパターン（例えばラインパターン、ドットパターン）およびセキュリティタイプのパターン（例えば込み入ったウェビングまたはギロッシュパターン、小さい装飾模様）を挙げることができるが、これらに限定されるものではない。
【００５２】
図９では、投影像３０および二次像アイコン２４は、像／アイコンをキャンセルしている。この実施例では、投影像３０は、ポジの星形記号の形態をしているが、他方、二次像アイコン２４はネガの星形記号の形態となっている。図９の部分（Ｃ）および（Ｄ）に最良に示されるように、反射光または透過光で見ると、ポジの星形記号とネガの星形記号のオーバーラップした組が、ランダムな、または不規則な位置（部分（Ｃ））に見えるが、セキュリティドキュメントまたはラベルを所定の角度に傾けると、ポジの星形記号はネガの星形記号と一致し、キャンセル効果を生じさせ、これら記号をそれ以上検出できないようにする（部分（Ｄ））。
【００５３】
マイクロ光学的膜構造体によって投影される像を視覚的に高めたり、キャンセルしたりする以外に、二次像アイコン２４自身がセキュリティ上の特徴（例えば傾き効果のセキュリティ上の特徴、マシンで検出可能な、および／またはマシンで読み取り可能なセキュリティ上の特徴）を構成または埋め込むことができるし、または１つ以上のマシンで検出可能な、および／またはマシンで読み取り可能なセキュリティ上の特徴の発生に寄与することができる。
【００５４】
例えば二次像アイコン２４は、カラーシフトまたは傾き効果を示すことができる。意図する実施例は、光学的に変化するインクでプリントされた二次像アイコン２４、ホログラフィパッチまたはストライプ、もしくは潜像から構成された（またはこれらを含む）二次像アイコン２４、およびブラインドエンボスを使って形成された二次像アイコン２４を含む。
【００５５】
更に、情報を隠すか、または不明瞭にするのに、二次像アイコン２４を使用できる。かかる意図する一実施例では、二次像アイコン２４はＳＣ（ステガノグラフィ暗号）マークおよび／またはデジタルすかしを埋め込み、従来の、プリントされ、隠されたマーキングシステムのセキュリティドキュメント（例えばバンクノート）またはラベル内に組み込まなくても、隠れたコピー防止機能を可能にする。
【００５６】
別の実施例では、二次像アイコン２４に一次像アイコン２２が発生できる信号と同一か、または異なる信号を発生する材料を形成してもよい。かかる一実施例では、高保持力セキュリティインクを使って二次像アイコン２４をプリントし、他方、リセス状となっている一次像アイコン２２に低保持力材料を充填する。これら材料の近くは認証目的に使用できるユニークな磁気信号または応答を発生する。
【００５７】
これまで説明し、図示したように、マイクロ光学的膜構造体が投影する像を視覚的に強化またはキャンセルするように働く、本発明の二次像アイコン２４は、多数の異なる形状および形態で存在でき、正常な照明条件下で見えたり、見えなかったりしてもよく、更に自らがセキュリティ上の特徴を構成するか、埋め込むことができ、もしくは１つ以上のマシンで検出可能なおよび／またはマシンで読み取り可能なセキュリティ上の特徴の発生に寄与し得る。
【００５８】
マイクロ光学的膜構造体１０の表面上、またはこの表面を通して、または膜構造体１０に載っているドキュメントまたはラベルの表面上、もしくはその表面を通して、二次像アイコン２４を形成するようになっている方法もしくは技術として、エンボス加工（ブラインドエンボス加工）、フォイル転写、マイクロスコープレーザーボーリング技術、金属コーティング方法（例えば選択的金属コーティング、金属コーティングおよび選択的金属除去コーティング）およびプリントを挙げることができるが、これらだけに限定されるわけではない。
【００５９】
１つの可能な実施例では、二次像アイコン２４はプリントされたアイコンとなっている。これらアイコン２４は、水をベースとするセキュリティインクを使ってプリントすることが好ましい。本発明で使用するようになっているセキュリティインクは、可視セキュリティインクおよび部分可視セキュリティインク、例えば熱反応不可逆性インク、高保持力インク、磁気インク、金属または金属性インク、光学的可変インク（例えばカラーシフトインク、蛍光インク、メタメリックインク、パールセントインク、燐光インク）、フォトクロームインク、放射線硬化性インク（例えばＵＶ硬化性インク）、溶剤／薬品反応性インクおよび熱クロミックインクだけでなく、ＵＶインクおよび赤外線（ＩＲ）インクを含むが、これらだけに限定されるものではない。
【００６０】
ロトグラビア、レタープレス、インタグリオ、リトグラフィおよびフレクソグラフィを含むが、これらだけに限定されない任意のプリント方法を使って、膜構造体１０またはセキュリティドキュメントもしくはラベル２６に、二次像アイコン２４をプリントできる。
【００６１】
別の実施例では、従来のフォイル転写技術を使ってセキュリティドキュメントまたはラベル２６の表面に、光学的可変ホログラフィホイルパッチまたはストリップ状の二次像アイコン２４を張り付ける。
【００６２】
更に別の実施例では、二次像アイコン２４は膜構造体１０またはセキュリティドキュメントもしくはラベル２６を完全に貫通するか、または埋め込まれた膜構造体に載っている領域内のドキュメントまたはラベル２６の二次表面または下方表面２８だけを貫通する、マイクロスコープレーザーで孔開けされた孔なの形態をしている。
孔のマイクロスコープ的な性質により、本実施例の第２像アイコン２４は可視光線のみにより見ることができる。
【００６３】
別の実施例では、二次像アイコン２４は、金属（すなわちポジの）アイコンまたは金属で形成された（すなわちネガの）アイコンであり、これらアイコンは選択的金属コーティング技術または金属コーティング技術、および選択的金属除去技術のいずれかを使って、膜構造体１０またはセキュリティドキュメントもしくはラベル２６に張り付けられている。
【００６４】
当業者であれば容易に理解できるように、投影像を視覚的に強化またはキャンセルするように働く間の二次像アイコン２４は、正当性を証明する別の方法を提供することにより、本発明のマイクロ光学的膜構造体１０およびセキュリティドキュメントもしくはラベル２６を、より偽造されにくいようにもする。膜構造体の合焦要素またはレンズ２０にわたって、浅い角度でコヒーレントな光源（例えばレーザーポインタ）の向きを定めることにより、構造体１０およびドキュメントまたはラベル２６により、ユニークなパターンを投影できることが発見された。かかるユニークな投影光パターンは、適当なスケールおよびスペースのレンズアレイによってしか形成できないような高レベルの認証目的のために使用できる。
【００６５】
以上で、本発明の種々の実施例について説明したが、これら実施例は単なる例として示したにすぎず、発明を限定するものではないと理解すべきである。本発明の範囲は、これら実施例のいずれによっても制限すべきではない。
【符号の説明】
【００６６】
２    バンクノート
１０    マイクロ光学的膜構造体
１２    セキュリティドキュメント
１４    開口部
１６    上方表面
１８    膜材料
２０    合焦要素またはレンズ
２２    一次像アイコン
２４    二次像アイコン
２６    セキュリティドキュメント
２８    下方表面
３０    投影像
３２    新しい像
【図１】
2014006532.tif 000003
【図２】
2014006532.tif 000004
【図３】
2014006532.tif 000005
【図４】
2014006532.tif 000006
【図５】
2014006532.tif 000007
【図６（Ａ）−（Ｄ）】
2014006532.tif 000008
【図７（Ａ）−（Ｄ）】
2014006532.tif 000009
【図８（Ａ）−（Ｃ）】
2014006532.tif 000010
【図９（Ａ）−（Ｄ）】
2014006532.tif 000011